(57)【要約】【課題】高圧側から低圧側への空気の漏出を防止しながらも組み立てや保守点検等の作業性を高めることができる動翼を提供する。【解決手段】円板状をなして外周に軸方向へ沿って形成された取付溝部１１１ａを周方向に複数有するディスク１１１と、翼部１１２ｂの基端側に設けられた翼根部１１１ａをディスク１１１の取付溝部１１１ａにディスク１１１の軸方向に沿ってそれぞれ差し込まれた複数のブレード１１２とを備えている動翼１００において、ディスク１１１の一方の端面側でディスク１１１の取付溝部１１１ａとブレード１１２の翼根部１１２ａとの間の隙間を覆うカバープレート１１３を備えている。【選択図】図１
2012193682.tif 000002
【特許請求の範囲】
【請求項１】
円板状をなして外周に軸方向へ沿って形成された取付溝部を周方向に複数有するディスクと、
翼部の基端側に設けられた翼根部を前記ディスクの前記取付溝部に当該ディスクの軸方向に沿ってそれぞれ差し込まれた複数のブレードと
を備えている動翼において、
前記ディスクの一方の端面側で当該ディスクの前記取付溝部と前記ブレードの前記翼根部との間の隙間を覆うカバー手段を備えている
ことを特徴とする動翼。
【請求項２】
請求項１に記載の動翼において、
前記カバー手段が、前記ディスクの一方の端面側で当該ディスクの前記取付溝部と前記ブレードの前記翼根部との間の隙間を覆うように当該ディスクの一方の端面側に配設されるカバープレートを備えている
ことを特徴とする動翼。
【請求項３】
請求項２に記載の動翼において、
前記カバー手段の前記カバープレートを前記ディスクの一方の端面と同一平面上に位置させるように当該カバープレートを収める収納溝部が当該ディスクの一方の端面に形成されている
ことを特徴とする動翼。
【請求項４】
請求項２又は請求項３において、
前記カバー手段が、さらに、前記カバープレートに基端を連結されて先端側を当該ディスクの他方の端面側の前記ブレードの前記翼根部に係合させるように当該ディスクの前記取付溝部と当該ブレードの当該翼根部との間の隙間を貫通する係合プレートを備えている
ことを特徴とする動翼。
【請求項５】
請求項２又は請求項３において、
前記カバー手段の前記カバープレートが、前記ブレードの前記翼根部に一体的に形成されている
ことを特徴とする動翼。
【請求項６】
請求項１から請求項５のいずれか一項に記載の動翼において、
前記ディスクの前記取付溝部と前記ブレードの前記翼根部との間の前記隙間に配設されて当該ブレードの当該翼根部を当該ディスクの当該取付溝部に押し付けるように付勢する付勢手段を備えている
ことを特徴とする動翼。
【発明の詳細な説明】
【技術分野】
【０００１】
本発明は、ガスタービンの空気圧縮機等に用いられる動翼に関する。
【背景技術】
【０００２】
ガスタービンの空気圧縮機等に用いられる動翼は、従来、例えば、図４に示すように、円板状をなすディスク１１の外周に軸方向へ沿って形成されて周方向へ所定の間隔で複数設けられている取付溝部１１ａにブレード１２の翼根部１２ａが当該ディスク１１の軸方向に沿ってそれぞれ差し込まれることより、当該ディスク１１の外周に対して周方向にわたって所定の間隔でブレード１２の翼部１２ｂが複数立設されており、上記ディスク１１の上記取付溝部１１ａと上記ブレード１２の上記翼根部１２ａとの間にシール材１９が充填されることにより、上記ディスク１１を境にした高圧ＰＨ側（例えば、図４Ｂ中、左側）から低圧ＰＬ側（例えば、図４Ｂ中、右側）への空気の漏出を防ぐようにしている。
【先行技術文献】
【特許文献】
【０００３】
【特許文献１】実開平５−０１４５０１号公報
【特許文献２】特表２００３−５０１５８０号公報
【発明の概要】
【発明が解決しようとする課題】
【０００４】
しかしながら、前述したような従来の動翼１０においては、以下のような問題があった。
【０００５】
（１）ディスク１１の取付溝部１１ａとブレード１２の翼根部１２ａとの間にシール材１９を確実に充填して空気の漏出を防ぐ必要があるため、組み立て作業に非常に手間がかかってしまっていた。
【０００６】
（２）保守点検等でディスク１１からブレード１２を取り外すと、ディスク１１の取付溝部１１ａやブレード１２の翼根部１２ａにシール材１９が接着してしまっているため、保守点検等の作業に余計な手間がかかってしまっていた。
【０００７】
このようなことから、本発明は、高圧側から低圧側への空気の漏出を防止しながらも組み立てや保守点検等の作業性を高めることができる動翼を提供することを目的とする。
【課題を解決するための手段】
【０００８】
前述した課題を解決するための、第一番目の発明に係る動翼は、円板状をなして外周に軸方向へ沿って形成された取付溝部を周方向に複数有するディスクと、翼部の基端側に設けられた翼根部を前記ディスクの前記取付溝部に当該ディスクの軸方向に沿ってそれぞれ差し込まれた複数のブレードとを備えている動翼において、前記ディスクの一方の端面側で当該ディスクの前記取付溝部と前記ブレードの前記翼根部との間の隙間を覆うカバー手段を備えていることを特徴とする。
【０００９】
第二番目の発明に係る動翼は、第一番目の発明において、前記カバー手段が、前記ディスクの一方の端面側で当該ディスクの前記取付溝部と前記ブレードの前記翼根部との間の隙間を覆うように当該ディスクの一方の端面側に配設されるカバープレートを備えていることを特徴とする。
【００１０】
第三番目の発明に係る動翼は、第二番目の発明において、前記カバー手段の前記カバープレートを前記ディスクの一方の端面と同一平面上に位置させるように当該カバープレートを収める収納溝部が当該ディスクの一方の端面に形成されていることを特徴とする。
【００１１】
第四番目の発明に係る動翼は、第二番目又は第三番目の発明において、前記カバー手段が、さらに、前記カバープレートに基端を連結されて先端側を当該ディスクの他方の端面側の前記ブレードの前記翼根部に係合させるように当該ディスクの前記取付溝部と当該ブレードの当該翼根部との間の隙間を貫通する係合プレートを備えていることを特徴とする。
【００１２】
第五番目の発明に係る動翼は、第二番目又は第三番目の発明において、前記カバー手段の前記カバープレートが、前記ブレードの前記翼根部に一体的に形成されていることを特徴とする。
【００１３】
第六番目の発明に係る動翼は、第一番目から第五番目の発明のいずれかにおいて、前記ディスクの前記取付溝部と前記ブレードの前記翼根部との間の前記隙間に配設されて当該ブレードの当該翼根部を当該ディスクの当該取付溝部に押し付けるように付勢する付勢手段を備えていることを特徴とする。
【発明の効果】
【００１４】
本発明にかかる動翼によれば、ディスクの一方の端面側でディスクの取付溝部とブレードの翼根部との間の隙間をカバー手段により覆うようにしたので、ディスクを境にした高圧側から低圧側への空気の漏出を防止しながらも組み立てや保守点検等の作業性を高めることができる。
【図面の簡単な説明】
【００１５】
【図１】本発明に係る動翼の主な実施形態の要部の概略構成図である。
【図２】図１の動翼の組み立て説明図である。
【図３】本発明に係る動翼の他の実施形態の要部の概略構成図である。
【図４】従来の動翼の一例の要部の概略構成図である。
【発明を実施するための形態】
【００１６】
本発明に係る動翼の実施形態を図面に基づいて説明するが、本発明は図面に基づいて説明する以下の実施形態のみに限定されるものではない。
【００１７】
［主な実施形態］
本発明に係る動翼の主な実施形態を図１，２に基づいて説明する。
【００１８】
図１に示すように、円板状をなすディスク１１１の外周には、軸方向へ沿って形成された取付溝部１１１ａが周方向へ所定の間隔で複数設けられている。前記ディスク１１１の前記取付溝部１１１ａには、翼部１１２ｂの基端側に翼根部１１２ａを設けられたブレード１１２の当該翼根部１１２ａが当該ディスク１１１の軸方向に沿ってそれぞれ差し込まれることにより、当該ディスク１１１の外周に対して周方向にわたって所定の間隔で当該ブレード１１２の上記翼部１１２ｂが複数立設されている。
【００１９】
前記ディスク１１１の一方の端面（図１Ａ側、図１Ｃ中、左側（高圧ＰＨ側））の前記取付溝部１１１ａの周囲には、当該取付溝部１１１ａを内側に位置させる範囲で当該ディスク１１１の内側に窪んだ収納溝部１１１ｂがそれぞれ形成されている。前記ブレード１１２の前記翼根部１１２ａの他方側（図１Ｂ側、図１Ｃ中、右側（低圧ＬＨ側））の端面の底寄りには、係合溝部１１２ｃが形成されている。
【００２０】
前記ディスク１１１の前記収納溝部１１１ｂには、当該ディスク１１１の前記取付溝部１１１ａと前記ブレード１１２の前記翼根部１１２ａとの間の隙間を覆う平板状をなすカバープレート１１３が当該ディスク１１１の一方の端面と同一平面上（面一）に位置するように入り込んでいる。
【００２１】
前記カバープレート１１３の背面側には、前記ブレード１１２の前記翼根部１１２ａの底面と前記ディスク１１１の前記取付溝部１１１ａとの間を貫通して先端側を当該ブレード１１２の前記係合溝部１１２ｃ側へ位置させた係合プレート１１４の基端側が連結されている。前記係合プレート１１４の先端側は、前記ブレード１１２の前記翼根部１１２ａの他方の端面と同一平面上（面一）に位置するように前記係合溝部１１２ｃ内に曲折して入り込んで当該翼根部１１２ａに係合している。
【００２２】
前記ディスク１１１の前記取付溝部１１１ａと前記係合プレート１１４との間には、付勢手段である板ばね１１５が介在しており、当該板ばね１１５は、前記ブレード１１２の前記翼根部１１２ａを当該ディスク１１１の径方向で当該取付溝部１１１ａに押し付けるように当該係合プレート１１４を介して当該ブレード１１２の当該翼根部１１２ａを付勢している。
【００２３】
なお、本実施形態においては、前記カバープレート１１３、前記係合プレート１１４等によりカバー手段を構成するようにしている。
【００２４】
このような構造をなす本実施形態に係る動翼１００は、図２に示すように、前記ディスク１１１の前記取付溝部１１１ａに前記ブレード１１２の前記翼根部１１２ａを当該ディスク１１１の軸方向に沿って差し込んだ後、前記係合プレート１１４及び前記板ばね１１５を当該ディスク１１１の当該取付溝部１１１ａと当該ブレード１１２の当該翼根部１１２ａの底面との間に差し込んで（図２Ａ参照）、上記板ばね１１５を当該係合プレート１１４と当該ディスク１１１の当該取付溝部１１１ａとの間に位置させると共に、当該係合プレート１１４の先端側を当該ディスク１１１の当該取付溝部１１１ａと当該ブレード１１２の当該翼根部１１２ａの底面との間から外側へ突出させ（図２Ｂ参照）、前記カバープレート１１３を当該ディスク１１１及び当該ブレード１１２の当該翼根部１１２ａの一方の端面に密接させるように当該係合プレート１１４の先端側を当該ブレード１１２の前記係合溝部１１２ｃ内に折り込んで当該カバープレート１１３を当該ディスク１１１の前記収納溝部１１１ｂ内に収めることにより（図２Ｃ参照）、容易に組み立てることができる。
【００２５】
このようにして組み立てられる動翼１００においては、ディスク１１１を回転させることにより、当該ディスク１１１の一方の端面側（図１Ａ側、図１Ｃ中、左側）へ他方の端面側（図１Ｂ側、図１Ｃ中、右側）の空気を圧縮して送り出すことができる。
【００２６】
このとき、前記ディスク１１１の一方の端面（図１Ａ側、図１Ｃ中、左側（高圧ＰＨ側））の前記収納溝部１１１ｂ内に当該ディスク１１１の前記取付溝部１１１ａと前記ブレード１１２の前記翼根部１１２ａとの間の隙間を覆うように前記カバープレート１１３が密接しているので、当該ディスク１１１を境にした高圧ＰＨ側（図１Ａ側、図１Ｃ中、左側）から低圧ＰＬ側（図１Ｂ側、図１Ｃ中、右側）への空気の漏出が防止される。
【００２７】
また、前記カバープレート１１３が前記ディスク１１１の一方の端面と同一平面上（面一）に位置するように前記収納溝部１１１ｂ内に入り込むと共に、前記係合プレート１１４の先端側が前記ブレード１１２の前記翼根部１１２ａの他方の端面と同一平面上（面一）に位置するように前記係合溝部１１２ｃ内に曲折して入り込んでいることから、回転時に当該カバープレート１１３及び当該係合プレート１１４が抵抗となってしまうことはない。
【００２８】
さらに、動翼１００が高速度で回転しているとき、前記ブレード１１２は、当該回転に伴う遠心力によって、前記翼根部１１２ａが前記ディスク１１１の径方向で前記取付溝部１１１ａに押し付けられ、動翼１００が低速度で回転しているとき、前記ブレード１１２は、前記板ばね１１５の付勢力によって、前記翼根部１１２ａが前記ディスク１１１の径方向で前記取付溝部１１１ａに押し付けられることにより、回転中における振動（ガタつき）が防止される。
【００２９】
そして、保守点検等を行う場合には、上述した組み立て手順と逆の手順を行うことにより、前記ディスク１１１の前記取付溝部１１１ａから前記ブレード１１２、前記カバープレート１１３、前記係合プレート１１４、前記板ばね１１５を取り外すことが容易にできる。
【００３０】
したがって、本実施形態に係る動翼１００によれば、高圧ＰＨ側から低圧ＰＬ側への空気の漏出を防止しながらも組み立てや保守点検等の作業性を高めることができる。
【００３１】
［他の実施形態］
なお、前述した実施形態においては、前記カバープレート１１３を前記係合プレート１１４によって前記ブレード１１２の前記翼根部１１２ａに取り付けるようにしたが、他の実施形態として、例えば、図３に示すように、前記ディスク１１１の一方の端面側（図３Ｂ側、図３Ｃ中、左側（高圧ＰＨ側））の上記翼根部１１２ａに、前記取付溝部１１１ａと前当該翼根部１１２ａとの間の前記隙間を覆うカバー手段であるカバープレート２１２ｄを一体的に形成したブレード２１２とすることにより、前述したような係合プレート１１４や係合溝部１１２ｃ等を省略できるようにすることも可能である。
【００３２】
また、前述した実施形態においては、前記ディスク１１１の一方の端面側（図１Ａ側、図３Ｂ側、図１Ｃ及び図３Ｃ中、左側（高圧ＰＨ側））に前記カバープレート１１３，２１３を配設するようにしたが、他の実施形態として、例えば、ディスクの他方の端面側（低圧ＰＬ側）にカバープレートを配設するようにすることも可能である。
【００３３】
しかしながら、前述した実施形態のように、前記ディスク１１１の一方の端面側（図１Ａ側、図３Ｂ側、図１Ｃ及び図３Ｃ中、左側（高圧ＰＨ側））に前記カバープレート１１３，２１３を配設する方が、高圧ＰＨ側から低圧ＰＬ側への空気の漏出防止効果がより高いので好ましい。
【産業上の利用可能性】
【００３４】
本発明にかかる動翼は、高圧側から低圧側への空気の漏出を防止しながらも組み立てや保守点検等の作業性を高めることができるので、産業上、極めて有益に利用することができる。
【符号の説明】
【００３５】
１００  動翼
１１１  ディスク
１１１ａ  取付溝部
１１１ｂ  収納溝部
２１２  ブレード
１１２ａ  翼根部
１１２ｂ  翼部
１１２ｃ  係合溝部
１１３，２１３  カバープレート
１１４  係合プレート
１１５  板ばね
２００  動翼
２１２  ブレード
２１２ｄ  カバープレート
【図１】
2012193682.tif 000003
【図２】
2012193682.tif 000004
【図３】
2012193682.tif 000005
【図４】
2012193682.tif 000006